(57)【要約】  【課題】屋根又は屋根改修工事において、作業員の安全を確保すると共に既設のスレート屋根等のボルトを利用して設置し易く且つ作業員の作業範囲を広くすることができる安全帯等の支持具を提供すること。  【解決手段】長手方向に沿って複数の底側貫通孔１１１が形成された底側板部１１と、長手方向に沿って複数の立上り貫通孔１２１が形成された立上り側板部１２とによって断面略Ｌ字形状とした主部材１と、副部材２とからなること。略平行配置された２本の前記主部材１，１及び２本の前記副部材２，２によって略方形状の枠体が形成されること。  【選択図】図１
2008308897.tif 000002
【特許請求の範囲】
【請求項１】
長手方向に沿って複数の底側貫通孔が形成された底側板部と、長手方向に沿って複数の立上り貫通孔が形成された立上り側板部とによって断面略Ｌ字形状とした主部材と、副部材とからなり、略平行配置された２本の前記主部材及び２本の前記副部材によって略方形状の枠体が形成されてなることを特徴とする安全帯等の支持具。
【請求項２】
請求項１において、前記底側板部の底側貫通孔同士の間隔は、屋根の頂部から突出する屋根板固定用の螺子軸部の配列間隔と略同等に対応してなることを特徴とする安全帯等の支持具。
【請求項３】
請求項１又は２において、前記主部材の底側板部の底側貫通孔は、長孔として形成されてなることを特徴とする安全帯等の支持具。
【請求項４】
請求項１，２又は３のいずれか１項の記載において、前記副部材は断面略Ｌ字形状とし、底側板部及び立上り側板部には、底側貫通孔，立上り貫通孔が形成されてなることを特徴とする安全帯等の支持具。
【請求項５】
請求項１，２，３又は４のいずれか１項の記載において、前記貫通孔にはアイナットが装着され、該アイナットを介して安全帯のフックが係止されてなることを特徴とする安全帯等の支持具。
【発明の詳細な説明】
【技術分野】
【０００１】
本発明は、屋根又は屋根改修工事において、作業員の安全を確保すると共に既設のスレート屋根等のボルトを利用して設置し易く且つ作業員の作業範囲を広くすることができる安全帯等の支持具に関する。
【背景技術】
【０００２】
新設の屋根の施工や、老朽化した既設屋根を改修する屋根工事において、作業員の安全が確保されなければならない。そのために作業員には安全帯を着用することが要求される。この安全帯は、その命綱に装着されたフックを付近の鉄骨や、または鉄骨間に張り渡されたロープに引掛けられるものである。新設の建築現場では、特許文献に開示されているように、安全帯を装着するための設備が整っており、安全な工事作業環境を確保することができる。
【特許文献１】特開２００５−６１１０６
【発明の開示】
【発明が解決しようとする課題】
【０００３】
特許文献１（特開２００５−６１１０６）に開示されている技術的内容は、新設の建築現場において、簡単に適用されるものである。ところが老朽化した既設屋根を改修する工事等では、安全帯の帯（命綱）先端のフックを引掛けるための部位が都合良く存在するということは、なかなか無いものであり、特許文献１に開示されたものが適用されにくいものである。そして、このような、安全帯を装着し難い作業環境の場合では、作業員に対して安全帯を装着させることは、極めて困難である。しかも、作業員は、安全帯を着用しつつも、その作業範囲は、比較的広くなるように確保されなければならない。
【０００４】
また、通常は、建築構造物の比較的しっかりした鉄骨間や、或いは専用のポールを備え、これらの設備の間に親綱を張り渡し、この親綱に安全帯のフックを引掛けて、作業員はその親綱に沿って移動するものである。しかし、既設屋根の改修工事では、親綱を渡すための設備が存在しないことがあり、このような場合には、作業員は安全帯のフックを適当な場所を見つけて引掛けるしかない。
【０００５】
そのために、作業員は、安全帯を引掛けた場所とその安全帯の長さの範囲でしか作業ができず、そのために安全帯のフックを装着場所からいちいち外したり、引掛けたりする必要があり、そのために施工効率が低下し、しかも危険な状態で作業を行わなければならないことになる。本発明が解決しようとする課題（技術的課題又は目的）は、新設屋根の他に老朽化した既設屋根の改修工事等のように、安全帯の帯（命綱）先端のフックを装着する設備が存在しないような現場でも、既設屋根の一部を使用して、しかも作業員の作業範囲を広く確保することを実現することである。
【課題を解決するための手段】
【０００６】
そこで発明者は、前記課題を解決すべく、鋭意，研究を重ねた結果、請求項１の発明を、長手方向に沿って複数の底側貫通孔が形成された底側板部と、長手方向に沿って複数の立上り貫通孔が形成された立上り側板部とによって断面略Ｌ字形状とした主部材と、副部材とからなり、略平行配置された２本の前記主部材及び２本の前記副部材によって略方形状の枠体が形成されてなる安全帯等の支持具としたことにより、上記課題を解決した。請求項２の発明を、前述の構成において、前記底側板部の底側貫通孔同士の間隔は、屋根の頂部から突出する屋根板固定用の螺子軸部の配列間隔と略同等に対応してなる安全帯等の支持具としたことにより、上記課題を解決した。
【０００７】
請求項３の発明を、前述の構成において、前記主部材の底側板部の底側貫通孔は、長孔として形成されてなる安全帯等の支持具としたことにより、上記課題を解決した。請求項４の発明を、前述の構成において、前記副部材は断面略Ｌ字形状とし、底側板部及び立上り側板部には、底側貫通孔，立上り貫通孔が形成されてなる安全帯等の支持具としたことにより、上記課題を解決した。請求項５の発明を、前述の構成において、前記貫通孔にはアイナットが装着され、該アイナットを介して安全帯のフックが係止されてなる安全帯等の支持具としたことにより、上記課題を解決した。
【発明の効果】
【０００８】
請求項１の発明によれば、略方形状の枠状体で且つ主部材及び副部材には複数の貫通孔が形成されていることで、新設或いは既設を問わず、断面波形状のスレート屋根或いは折板タイプの屋根のように、該屋根の頂部表面から突出する屋根板固定用のボルトを利用して極めて簡単に装着することができる。このようなボルトは、断面波形状のスレート屋根ならばフックボルトであり、折板屋根ならば受金具に装着された螺子軸等である。さらに本発明は、略方形状の枠状体であるがゆえに、特に断面波形状のスレート屋根上に設置する場合に、設置領域が略方形状に分散されて、支持具の重量がスレート屋根の一箇所に集中的にかかることがなく、特に極めて脆くて割れ易いスレート屋根を損傷させることがない。
【０００９】
請求項２の発明によれば、前記底側板部の底側貫通孔同士の間隔は、屋根の頂部から突出する屋根板固定用の螺子軸部の配列間隔と略同等に対応させたことにより、前記底側貫通孔を略円形状としても、屋根の頂部表面から突出する螺子軸に位置を容易に合わせることができ、極めて安定した支持具の装着状態にすることができるものである。請求項３の発明によれば、前記底側板部の底側貫通孔は、長孔として形成されたことにより、断面波形状のスレート屋根の屋根板材を支持する複数のフックボルトのピッチと、所定の位置に装着する本発明の支持具の貫通孔のピッチとの間に多少の誤差があっても、貫通孔が長孔として形成されているので、支持具側の貫通孔のピッチとスレート屋根側のフックボルトとのピッチとを合わせ易くなり、支持具の装着が極めて効率的にできるものである。
【００１０】
請求項４の発明は、前記副部材は断面略Ｌ字形状とし、立上り側板部及び底側板部には、貫通孔が形成されることにより、支持具は、力学的強度がさらに向上し、且つ前記支持具の副部材をスレート屋根のフックボルトを利用して設置することができ、支持具の屋根への装着性が向上する。請求項５の発明によれば、前記貫通孔にはアイナットが装着され、該アイナットを介して安全帯のフックが係止されてなることにより、安全帯のフックを係止することがより一層簡易且つ迅速にできる。
【発明を実施するための最良の形態】
【００１１】
以下、本発明の実施形態を図面に基づいて説明する。本発明における安全帯等の支持具Ａは、図１（Ａ），図２等に示すように、２個の主部材１と、２個の副部材２とから構成される。主部材１は、断面略Ｌ字形状に形成されたもので、水平状の底側板部１１と、垂直状の立上り側板部１２とから構成されたものである。前記底側板部１１には、その長手方向に沿って複数の底側貫通孔１１１，１１１，…が穿孔されている。また前記立上り側板部１２には、その長手方向に沿って、複数の立上り貫通孔１２１，１２１，…が穿孔されている。
【００１２】
前記底側貫通孔１１１は、底側板部１１の長手方向に延出する長孔として形成されている〔図２（Ａ）参照〕。同様に、前記立上り貫通孔１２１は、立上り側板部２１の長手方向に延出するように形成されたものである〔図２（Ａ）参照〕。前記底側貫通孔１１１及び立上り貫通孔１２１の長孔形状は、カプセル形状或いは略長方形状である。前記立上り貫通孔１２１は、長孔として形成されてなることにより、作業員の安全帯のフックを係止するための貫通孔の面積が広くなり、フックの係止作業が容易且つ迅速に行うことができ、ひいては作業効率を向上させることができる。
【００１３】
前記底側板部１１の複数の底側貫通孔１１１，１１１，…は、後述する屋根Ｂの頂部表面から突出する螺子軸部の配列間隔と略同等に設定される実施形態が存在する〔図５（Ａ）参照〕。この実施形態では、支持具Ａが屋根Ｂの頂部に設置するときに、複数の底側貫通孔１１１，１１１，…の間隔Ｌａと、前記屋根Ｂの螺子軸部の間隔Ｌｂとが同一なので、全ての底側貫通孔１１１，１１１，…に対して、対応する螺子軸部を正確に挿通することができ、支持具Ａを簡易且つ迅速に屋根Ｂの頂部に装着することができる〔図５（Ｂ）参照〕。
【００１４】
このような主部材１及び副部材２は、一般の断面Ｌ字形状のアングル材を使用することができる。さらに、予め複数の長孔が穿孔されている形材が使用されることもある。そして、２個の前記主部材１と、２個の副部材２が用意され、略長方形状又は正方形等の枠体とした支持具Ａが形成されるものである。前記主部材１と前記副部材２との固着は、溶接手段又はボルト・ナット等の固着具にて行われる。さらに、図２（Ｃ）に示すように、略長方形状又は正方形等の枠体とした支持具Ａの両主部材１，１の略中間箇所に補強材３が装着される実施形態も存在する。補強材３は、前記副部材２と略同等形状の部材である。
【００１５】
また、前記副部材２についても、前記主部材１と同様に立上り側板部２２及び底側板部２１から構成され、これら立上り側板部２２と底側板部２１が断面略Ｌ字形状を構成している。そして、前記立上り側板部２２には複数の立上り貫通孔２２１が穿孔されており、前記底側板部２１には複数の底側貫通孔２１１が穿孔されている。また、副部材２の立上り側板部２２及び底側板部２１には、前記立上り貫通孔２２１及び底側貫通孔２１１が穿孔されていない実施形態も存在する。
【００１６】
前記主部材１の立上り側板部１２に形成される立上り貫通孔１２１には、図１（Ｂ），図２（Ｂ）に示すように、アイナット４が装着され、該アイナット４を介して安全帯８のフック８２が係止される。該アイナット４は、ナットベース４１に環部４２が形成され、前記ナットベース４１には内螺子が形成されボルト４３が螺合される構造となっている。具体的には図４（Ｃ）に示すように、前記立上り貫通孔１２１の位置にアイナット４のナットベース４１が配置され、前記立上り貫通孔１２１の反対側からボルト４３が挿通され、前記ナットベース４１の内螺子に螺合されてアイナット４が立上り側板部１２に固定される。そして、アイナット４に安全帯８のフック８２が係止されるようになっている。
【００１７】
本発明では、補強具１００が使用されることがある。該補強具１００は、図６（Ａ）,（Ｂ）に示すように、上部１０１の幅方向両側に脚部１０２,１０２が形成されている。該脚部１０２,１０２の下端は、屋根板材６の円弧状谷部の形状に形成された略湾曲状の脚底部１０２ａが形成されている。前記上部１０１の中央には貫通孔１０３が形成されている。該貫通孔１０３の直径（内径）は、後述する屋根Ｂを構成する固定ボルト７のナット７３の外径よりも大きく形成され、該ナット７３が前記貫通孔１０３内に収まるようになっている。そして、図６（Ｃ）に示すように、前記補強具１００の貫通孔１０３にナット７３の外周が挿通され、上部１０１が前記ナット７３の座金７７上に配置される。このように補強具１００が装着されることにより、該補強具１００によって支持具Ａからの荷重を分散させることができ、屋根Ｂの損傷を防ぐ、或いは軽減することができるものである。
【００１８】
次に、本発明が使用される新設又は既設の屋根Ｂの構造について説明する。まず、図３，図５等に示すように、スレート等でその断面形状が、略サインカーブ状の波形に形成されており、複数の屋根板材６，６，…より構成されている。該屋根板材６は、母屋５に固定ボルト７にて固定されている。該固定ボルト７は、具体的にはフックボルトであって、略Ｊ字形状であり、ボルト軸部７１，フック部７２及びナット７３から構成されている。そして、母屋５（アングル形鋼等）の下縁箇所に前記フック部７２が引掛けられ、前記ボルト軸部７１の軸上端部分が前記屋根板材６の弧状山形部の頂部を貫通し、該頂部側表面から前記ナット７３により締め付けられて、断面波形状のスレート屋根が構成される。
【００１９】
支持具Ａを断面波形状のスレートタイプの屋根Ｂに設置するには、まず固定ボルト（フックボルト）７のナット７３の上から前記支持具Ａを配置する。そして前記底側板部１１側に形成された複数の底側貫通孔１１１のうち少なくとも２個に、前記固定ボルト（フックボルト）７のボルト軸部７１が挿通され、ボルト軸部７１に固定用ナット７５を螺合して、支持具Ａを屋根Ｂの頂部に固定する〔図４（Ａ）参照〕。また、支持具Ａの屋根Ｂへの別の固定方法としては、前記固定ボルト７に螺合されているナット７３が一旦外される。そして、前記底側板部１１側に形成された複数の底側貫通孔１１１のうち少なくとも２個に、前記固定ボルト７のボルト軸部７１が挿通され、再度ナット７３が前記底側貫通孔１１１の上から前記ボルト軸部７１に螺合されて、支持具Ａが屋根Ｂの頂部に固定される〔図４（Ｂ）参照〕。
【００２０】
さらに、支持具Ａの屋根への装着に前記補強具１００を使用する場合について説明する。まず屋根Ｂを構成する略サインカーブ状の波形に形成された屋根板材６の円弧状頂部から突出した固定ボルト７のナット７３の上から配置する。このとき、補強具１００の貫通孔１０３にてナット７３の外周を囲むようにして、貫通孔１０３にナット７３が収められる。そして、前記脚底部１０２ａは、屋根板材６の円弧状底部に沿うようにして配置される〔図６（Ｂ）参照〕。そして、あとは、前記補強具１００の上部１０１の上から支持具Ａが配置され、ボルト軸部７１に固定用ナット７５を螺合して、支持具Ａを屋根Ｂの頂部に固定される〔図６（Ｃ）参照〕。
【００２１】
屋根Ｂには、折板タイプの金属製の屋根板材６から構成された折板タイプの屋根Ｂとした実施形態が存在し、この折板タイプの屋根Ｂに本発明の支持具Ａが装着されるものである〔図９（Ａ），（Ｂ）参照〕。この折板タイプの屋根Ｂでは、屋根板材６は幅方向両側に山形部が形成されており、該山形部同士が重合される。そして、母屋５上に設置された受金具２００に設け螺子軸部７４が前記重合する山形部に貫通し、固定用ナット７５によって固着されている。この折板タイプの屋根Ｂに、本発明の支持具Ａが装着されるときは、前記固定用ナット７５の上に支持具Ａが配置され、前記螺子軸部７４が前記底側板部１１に形成された底側貫通孔１１１に挿通され、前記螺子軸部７４に固定用ナット７６が螺合され、支持具Ａが屋根Ｂの頂部に固定される〔図９（Ｂ）参照〕。また、前記固定ナット７５が螺子軸部７４から一旦外されて、本発明の支持具Ａの底側板部１１に形成された底側貫通孔１１１に前記螺子軸部７４が挿通され、該螺子軸部７４に前記固定用ナット７５が再度螺合されることによって、支持具Ａが屋根Ｂの頂部に固定されることもある。
【００２２】
次に、本発明の安全帯の支持具Ａの使用例について説明する。屋根Ｂ上で、作業する作業員は安全帯８の命綱８１の先端のフック８２を前記主部材１の立上り側板部１２に形成された立上り貫通孔１２１に引掛ける。或いは、図２（Ｂ），図４（Ｃ），図７（Ｂ），図８（Ｂ）等に示すように、アイナット４を前記立上り側板部１２の立上り貫通孔１２１を利用して固着し、該アイナット４の環部４２に前記安全帯８のフック８２を引掛けて作業を行う。
【００２３】
本発明の支持具Ａが複数用意されて、親綱９を張り渡す場合について説明する。図７は、屋根の軒先から棟に亘って複数の支持具Ａが前述の手段によって設置され、隣接する支持具Ａに前記アイナット４が固着され、隣接するアイナット４，４に前記親綱９が掛け渡される。図７の実施例では、３個の支持具Ａに略直列状態で親綱９が連結されている。作業員は、安全帯８のフック８２を前記親綱９に引掛けて作業を行う。図８は、屋根Ｂの傾斜方向と直交する方向に複数の支持具Ａが設置されたものである。この場合には、各支持具Ａの副部材２の立上り側板部２２の立上り貫通孔２２１を利用してアイナット４が固着され、隣接する支持具Ａの副部材２，２間に親綱９が掛け渡され、作業員はその親綱９に安全帯８のフック８２を引掛けて作業を行う。
【図面の簡単な説明】
【００２４】
【図１】（Ａ）は本発明の支持具の斜視図、（Ｂ）は支持具がスレート屋根に設置された状態の斜視図である。
【図２】（Ａ）は支持具を分解した状態の斜視図、（Ｂ）はアイナットが装着された状態の支持具の要部拡大斜視図、（Ｃ）は補強材が装着された実施形態の支持具の斜視図である。
【図３】（Ａ）及び（Ｂ）は支持具が屋根に装着された状態の略示図である。
【図４】（Ａ）は支持具と屋根との装着箇所の拡大断面図、（Ｂ）は支持具と屋根との別の実施形態における装着箇所の拡大断面図、（Ｃ）はアイナットの装着箇所の一部断面にした拡大図である。
【図５】（Ａ）は底側貫通孔の間隔を屋根の螺子軸部の間隔と同等とした実施形態における屋根と支持具とを分離した状態の略示図、（Ｂ）は屋根に支持具を装着した状態の略示図である。
【図６】（Ａ）は補強具の斜視図、（Ｂ）は補強具を屋根に装着しようとする略示図、（Ｃ）は支持具が補強具を介して屋根に装着された状態の略示図である。
【図７】（Ａ）は支持具に親綱を装着するための構成を示す略示斜視図、（Ｂ）は使用状態を示す略示平面図である。
【図８】（Ａ）は支持具に親綱を装着するための別の実施形態の構成を示す略示斜視図、（Ｂ）は使用状態を示す略示図である。
【図９】（Ａ）は折板タイプの屋根に支持具が装着された実施形態の略示図、（Ｂ）は（Ａ）の要部拡大断面図である。
【符号の説明】
【００２５】
１…主部材、１１…底側板部、１１１…底側貫通孔、１２…立上り側板部、
１２１…立上り貫通孔、２…副部材、４…アイナット。
【図１】
2008308897.tif 000003
【図２】
2008308897.tif 000004
【図３】
2008308897.tif 000005
【図４】
2008308897.tif 000006
【図５】
2008308897.tif 000007
【図６】
2008308897.tif 000008
【図７】
2008308897.tif 000009
【図８】
2008308897.tif 000010
【図９】
2008308897.tif 000011